(57)【要約】【課題】ショーケース全体の消費電力量の低減を図ることができると共に、陳列室内全体を効果的に照明することができる低温ショーケースを提供する。【解決手段】本体内に陳列室１１を構成し、この陳列室１１内を冷却して成る低温ショーケース１において、陳列室１１内を照明するＬＥＤ照明２２を当該陳列室１１内に設けると共に、このＬＥＤ照明２２から発生する熱を陳列室１１外に排出する放熱手段（伝熱部材２５、棚板３２、天板４Ａ、側板５、背面板２Ｃ）を設けた。【選択図】図５
2011072496.tif 000002
【特許請求の範囲】
【請求項１】
本体内に陳列室を構成し、該陳列室内を冷却して成る低温ショーケースにおいて、
前記陳列室内を照明するＬＥＤ照明を当該陳列室内に設けると共に、該ＬＥＤ照明から発生する熱を前記陳列室外に排出する放熱手段を設けたことを特徴とする低温ショーケース。
【請求項２】
前記本体はコ字状の断熱壁と両側の側板とから成り、前記ＬＥＤ照明と前記側板とに熱交換関係に取り付けられた伝熱部材により前記放熱手段を構成したことを特徴とする請求項１に記載の低温ショーケース。
【請求項３】
前記本体はコ字状の断熱壁と両側の側板とから成り、前記ＬＥＤ照明と前記陳列室の背面を構成する断熱壁の背面板とに熱交換関係に取り付けられた伝熱部材により前記放熱手段を構成したことを特徴とする請求項１に記載の低温ショーケース。
【請求項４】
前記陳列室内に架設された商品陳列用の棚を複数段備え、前記ＬＥＤ照明及び放熱手段を前記棚の下面に取り付けたことを特徴とする請求項１乃至請求項３のうちの何れかに記載の低温ショーケース。
【請求項５】
前記ＬＥＤ照明からの光を拡散させる拡散レンズを設けたことを特徴とする請求項１乃至請求項４のうちの何れかに記載の低温ショーケース。
【請求項６】
前記ＬＥＤ照明からの光を所定位置に導く導光材を設けたことを特徴とする請求項１乃至請求項４のうちの何れかに記載の低温ショーケース。
【発明の詳細な説明】
【技術分野】
【０００１】
本発明は、本体内に陳列室を構成し、該陳列室内にて商品を冷却しながら陳列して成る低温ショーケースであって、特に、陳列室内の照明に関するものである。
【背景技術】
【０００２】
従来よりこの種ショーケースは、断面略コ字状の断熱壁の開口上縁に形成した吐出口から、開口下縁の吸込口に向けて冷気を吐出することにより、前記開口に冷気エアーカーテンを形成し、断熱壁にて囲繞された陳列室内は所定の温度に冷却される（特許文献１参照）。そして、開口上縁の外側に位置するキャノピーや開口両側縁及び棚前部下面などに複数の蛍光灯を取り付けて、陳列室内及びショーケース自体の照明を行っていた。
【０００３】
ところが、従来の構成では、当該蛍光灯による照明によって、陳列室内に熱負荷が生じる。一般に、蛍光灯は、電気エネルギーを可視放射、赤外放射、紫外放射に変換し、可視光線を放射することで、照明として用いるものである。その際、熱損失が生じるため、蛍光灯自体のみ成らず、当該蛍光灯による輻射熱によって、陳列室内が加熱される問題がある。そのため、エネルギー効率が悪く、また、陳列室内を所定の温度に冷却する低温ショーケースでは、冷却効率の低下することから、消費電力量の高騰を招来していた。
【０００４】
また、蛍光灯は、経年劣化による輝度の低下や点灯不良により、交換作業が余儀なくされる。そのため、使用者は、蛍光灯の交換作業を強いられることとなり、作業が煩雑となる問題がある。交換のため新しい蛍光灯を常備しておく必要もあった。
【０００５】
そこで、昨今では、より消費電力量が少なく、寿命が長いことからメンテナンス作業性において有利なＬＥＤ素子を採用したＬＥＤ照明によって陳列室内の照明を行っていた（例えば特許文献２参照）。
【先行技術文献】
【特許文献】
【０００６】
【特許文献１】特開平５−１４６３４６号公報
【特許文献２】特開２００８−２０６６６０号公報
【発明の概要】
【発明が解決しようとする課題】
【０００７】
しかしながら、上述した如き特許文献２に記載の構成では、陳列室の前面開口上縁にＬＥＤ照明を設け、陳列室内を上方から照明するものであったため、陳列室内に複数段架設された棚装置の前部に陳列された商品のフェース面を照明することが可能であったが、上側に架設される棚装置などが影となり、棚装置の後部にまで当該照射光が届きにくいため、全体としてショーケース後部が暗くなってしまう傾向があった。
【０００８】
また、係るショーケースでは、棚板自体を透明素材にて構成し、この棚板の前端に上方からＬＥＤ照明によって照射される光を受光する入光部を設け、当該入光部にて反射された光を棚板内にて乱反射させ棚自体を発光させる構成を採用している。
【０００９】
しかしながら、陳列室の前面開口上縁に設けられたＬＥＤ照明では、各棚までに所定の距離があるため、十分な光量の光を棚前端部の入光部に届けることができず、その結果、棚の後部まで効果的な照明を行うことが困難であった。
【００１０】
本発明は、従来の技術的課題を解決するために成されたものであり、ショーケース全体の消費電力量の低減を図ることができると共に、陳列室内全体を効果的に照明することができる低温ショーケースを提供する。
【課題を解決するための手段】
【００１１】
上記課題を解決するために、本発明の低温ショーケースは、本体内に陳列室を構成し、この陳列室内を冷却して成るものであって、陳列室内を照明するＬＥＤ照明をこの陳列室内に設けると共に、このＬＥＤ照明から発生する熱を陳列室外に排出する放熱手段を設けたことを特徴とする。
【００１２】
請求項２の発明は、上記発明において、本体はコ字状の断熱壁と両側の側板とから成り、ＬＥＤ照明と側板とに熱交換関係に取り付けられた伝熱部材により放熱手段を構成したことを特徴とする。
【００１３】
請求項３の発明は、上記請求項１の発明において、本体はコ字状の断熱壁と両側の側板とから成り、ＬＥＤ照明と陳列室の背面を構成する断熱壁の背面板とに熱交換関係に取り付けられた伝熱部材により放熱手段を構成したことを特徴とする。
【００１４】
請求項４の発明は、上記各発明において、陳列室内に架設された商品陳列用の棚を複数段備え、ＬＥＤ照明及び放熱手段を棚の下面に取り付けたことを特徴とする。
【００１５】
請求項５の発明は、上記各発明において、ＬＥＤ照明からの光を拡散させる拡散レンズを設けたことを特徴とする。
【００１６】
請求項６の発明は、上記請求項１乃至請求項４の発明において、ＬＥＤ照明からの光を所定位置に導く導光材を設けたことを特徴とする。
【発明の効果】
【００１７】
本発明によれば、本体内に陳列室を構成し、この陳列室内を冷却して成る低温ショーケースにおいて、陳列室内を照明するＬＥＤ照明をこの陳列室内に設けると共に、このＬＥＤ照明から発生する熱を陳列室外に排出する放熱手段を設けたことにより、例えば請求項４の発明の如く陳列室内に架設された商品陳列用の棚の下面にＬＥＤ照明を設けることが可能となり、十分な量の光量にて棚に陳列された商品を照明することが可能となる。これにより、陳列効果の著しい向上を図ることが可能となる。
【００１８】
この場合、ＬＥＤ照明から発生する熱は、放熱手段によって陳列室外に排出することが可能となるため、当該熱を効率的に陳列室外に放出でき、照明に関する陳列室内の熱負荷を最小限とすることができ、熱負荷による低温ショーケース自体の冷却効率の低下を未然に防止することが可能となる。これにより、低温ショーケース全体としてのランニングコストの低減を図ることが可能となる。
【００１９】
また、蛍光灯を陳列室内に取り付けていた従来のショーケースに比べ、陳列室内に生じる熱負荷を格段に低減でき、消費電力量の低減を図ることが可能となる。
【００２０】
また、請求項２の発明によれば、上記発明に加えて、本体はコ字状の断熱壁と両側の側板とから成り、ＬＥＤ照明と側板とに熱交換関係に取り付けられた伝熱部材により放熱手段を構成したことにより、ＬＥＤ照明から発生した熱を当該ＬＥＤ照明が設けられた伝熱部材を介して側板から陳列室外に排出することが可能となる。
【００２１】
また、請求項３の発明によれば、上記請求項１の発明に加えて、本体はコ字状の断熱壁と両側の側板とから成り、ＬＥＤ照明と陳列室の背面を構成する断熱壁の背面板とに熱交換関係に取り付けられた伝熱部材により放熱手段を構成したことにより、ＬＥＤ照明から発生した熱を当該ＬＥＤ照明が設けられた伝熱部材を介して背面板から陳列室外に排出することが可能となる。
【００２２】
請求項４の発明によれば、上記各発明において、陳列室内に架設された商品陳列用の棚を複数段備え、ＬＥＤ照明及び放熱手段を棚の下面に取り付けたことにより、上側の棚の下面に取り付けられたＬＥＤ照明によって棚上全体を効果的に照明でき、当該棚に陳列される商品の陳列効率の向上を図ることができる。
【００２３】
請求項５の発明によれば、上記各発明に加えて、ＬＥＤ照明からの光を拡散させる拡散レンズを設けたことにより、より少ないＬＥＤ照明からの光を拡散レンズによって拡散させることで、光照射面積を拡大することができ、効果的な照明を実現することができる。
【００２４】
請求項６の発明によれば、上記請求項１乃至請求項４の発明において、ＬＥＤ照明からの光を所定位置に導く導光材を設けたことにより、特定の商品を強調するような照明効果や棚自体の効果的な照明を実現することができる。これにより、陳列室に陳列される特定の商品を鮮やかに照明でき、商品イメージの向上を図ることができ、顧客の購買意欲の増進を図ることが可能となる。
【図面の簡単な説明】
【００２５】
【図１】本発明を適用した低温ショーケースの縦断側面図である。
【図２】ＬＥＤ照明の概略構成図である。
【図３】ＬＥＤ照明の取付状態を示す図である。
【図４】照明効率の比較を示す説明図である。
【図５】ＬＥＤ照明による照明状態を示す説明図である。
【発明を実施するための形態】
【００２６】
以下、本発明の実施の形態について詳細に説明する。図１は本発明を適用した低温ショーケース１の縦断側面図を示している。低温ショーケース１は、例えばスーパーマーケットなどの店舗内に据え付けられる縦型の低温ショーケースであり、前面に開口する断面略コ字状の断熱壁２と、据え付け現場において断熱壁２の側面に取り付けられた側板５、５とから本体３が構成されている。
【００２７】
低温ショーケース１の断熱壁２の天面の内側には間隔を存して天板４Ａが取り付けられ、断熱壁２の背面の内側にも同様に間隔を存して背部仕切板４Ｂが取り付けられている。これら天板４Ａ及び背部仕切板４Ｂと断熱壁２との間には、図示しない内外二層のダクトが形成されている。背部仕切板４Ｂの下端前方には、底板９が断熱壁２の底壁２Ａとの間にダクト用の間隔を存して取り付けられており、これら天板４Ａ、背部仕切板４Ｂ及び底板９の内側を陳列室１１としている。本実施例では、特に天板４Ａは熱良導性の鋼板などにより構成されており、少なくとも一部が側板５、５と当接し、熱交換関係に設けられているものとする。
【００２８】
また、この陳列室１１内には、高さ及び取付角度が変更可能であると共に、陳列室１１内背部の図示しない支柱に取り付けられる一対のブラケット３１及びこれらと共に商品陳列用の棚を構成する棚板３２が複数段に渡って架設されている。このとき、棚板３２は、熱良導性の材料にて構成されており、両側端の少なくとも一部が側板５、５と当接しているものとする。また、これに限定されるものではなく、熱良導性材料にて構成された支柱やブラケット３１を介して側板５、５と熱交換関係に設けられるものとしても良い。
【００２９】
また、この棚板３２の前縁には、硬質合成樹脂により成形されるプライスレール３４が取り付けられており、当該プライスレール３４は、棚板３２の装飾体を兼用している。この棚板３２の前壁とプライスレール３４との間には、所定の間隔が形成されており、当該間隔には棚板３２上の商品が落下することを防止するためのガード３５が取り付けられる。
【００３０】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。
【００３１】
一方、底板９下方後部には断熱壁２の底壁２Ａ上に前記内層ダクト及び外層ダクトのそれぞれに対応する図示しない送風機が複数台設置されている。
【００３２】
内側仕切板１０後方の内層ダクト内には冷却装置の冷却器３９が縦設されており、前記内層ダクトに対応した送風機が運転されると冷却器３９と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００３３】
他方、前記外層ダクトに対応した送風機が運転されると外層ダクト内の空気は外層ダクト内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００３４】
そして、断熱壁２の天壁２Ｂ前端（上部前端）には、前方に張り出したキャノピー３３が取り付けられており、このキャノピー３３の内側には、陳列室１１の前面開口１２より外側に延在した状態で反射板４５が取り付けられる。
【００３５】
係る反射板４５及び陳列室１１の天壁を構成する天板４Ｂの前部には、陳列室１１内を前部上方から照明する照明装置２０、２１が長手方向に渡って取り付けられている。尚、本実施例において、当該照明装置２０、２１は、複数のＬＥＤ素子を備えたＬＥＤ照明によって構成しても良く、他の照明手段により構成しても良い。
【００３６】
次に、図２のＬＥＤ照明２２の概略構成図を参照して、本実施例の低温ショーケース１に設けられるＬＥＤ照明２２について詳述する。本実施例では、陳列室１１内に複数段架設される各棚板３２の下面及び陳列室１１の天面を構成する天板４Ｂの下面には、ＬＥＤ照明２２がそれぞれ取り付けられている。
【００３７】
このＬＥＤ照明２２は、チップタイプの白色のＬＥＤ素子２３が取り付けられた基板２４のＬＥＤ素子２３側に光を拡散させる拡散レンズ２６が設けられており、基板２４側に熱良導性材料にて構成された伝熱部材２５が設けられて一つのユニットを構成している。
【００３８】
本実施例において、拡散レンズ２６の略中央部にＬＥＤ素子２３が配設されており、当該ＬＥＤ素子２３から照射される光は、指向性の高いため、拡散レンズ２６のＬＥＤ素子２３の照射光が直接入光する部分には、当該入射された光を減光させる加工が施されていると共に、当該部分を除いた箇所には、光を効率的に拡散させるための拡散加工が施されている。
【００３９】
これにより、ＬＥＤ素子２３から照射された光は、拡散レンズ２６のＬＥＤ素子２３が取り付けられる側に対向する面、全体より略均一に放射される。
【００４０】
係るＬＥＤ照明２２は、熱良導性材料にて構成される棚板３２の下面及び天板４Ａの下面に、当該ＬＥＤ照明２２を構成する伝熱部材２５が熱交換関係となるように当接して取り付けられ、これにより、ＬＥＤ照明２２を構成する拡散レンズ２６の光出射側の面（ＬＥＤ素子２３からの光入射側の面と対向する面）が陳列室１１内若しくは、当該ＬＥＤ照明２２が取り付けられる棚板３２の下方に向けて取り付けられることとなる。
【００４１】
本実施例では、図３に示すように各棚板３２には、長手方向に渡って当該ＬＥＤ照明２２が複数、図３では、３つ配設されており、奥行き寸法が他の棚より大きい陳列室１１内下方に架設される棚板３２には、前後に２列に渡って当該ＬＥＤ照明２２が取り付けられている。
【００４２】
係る構成により、ＬＥＤ照明２２の点灯によって基板２４にて発生した熱は、伝熱部材２５を介して棚板３２や天板４Ａに伝熱される。そして、棚板３２は、図３に示すように両側端部が側板５、５と当接して熱交換関係に設けられている。これにより、棚板３２や天板４Ａに伝達されたＬＥＤ照明２２からの熱は、陳列室１１外と接触して構成される側板５、５の表面より陳列室１１外に放熱される。また、これら側板５、５は、断熱壁２の背壁を構成する背面板２Ｃと当接して設けられることにより、棚板３２、天板４Ａは、側板５を介して背面板２Ｃとも熱交換関係となるように構成しても良い。
【００４３】
これにより、陳列室１１内に設けられた当該陳列室１１内を照明する各ＬＥＤ照明２２は、ＬＥＤ素子２３の点灯によって熱を発生する基板２４は、伝熱部材２５を介して当該伝熱部材２５と共に放熱手段を構成する当該ＬＥＤ照明２２が取り付けられた棚板３２や天板４Ａ及び側板５や背面板２Ｃによって陳列室１１外に排出することが可能となる。
【００４４】
そのため、ＬＥＤ照明２２からの熱を効率的に陳列室１１外に放出でき、照明に関する陳列室１１内の熱負荷を最小限とすることができる。これにより、熱負荷による低温ショーケース１自体の冷却効率の低下を未然に防止することが可能となる。従って、低温ショーケース１全体としてのランニングコストの低減を図ることが可能となる。
【００４５】
また、蛍光灯を陳列室１１内に取り付けていた従来のショーケースに比べ、陳列室１１内に生じる熱負荷を格段に低減でき、消費電力量の低減を図ることが可能となる。
【００４６】
また、本実施例では、棚板３２や天板４Ａを放熱手段を構成する一部としているが、これに限定されるものではなく、例えば、ＬＥＤ照明２２の基板２４と熱交換関係に設けられている伝熱部材２５を他よりも熱伝導率の高い材料にて形成された線条などで構成し、当該線条を棚板３２や天板４Ａと断熱しながら外部と接触する側板５や断熱壁２の背面板２Ｃに引き出し、当該側板５や背面板２Ｃと熱交換関係に設けることによって、ＬＥＤ照明２２からの廃熱を陳列室１１外に排出する構成としても良い。係る場合には、ＬＥＤ照明２２による陳列室１１内への放熱が抑制されて、より陳列室１１内の熱負荷を減少させることができる。
【００４７】
また、本実施例では、ＬＥＤ照明２２は、ＬＥＤ素子２３から照射された光を拡散レンズ２６にて拡散させて光照射面積を拡大できる。そのため、所定の面積を有する拡散レンズ２６の照射面全面から光を照射可能とされ、効果的な照明を実現することができる。これにより、少ないＬＥＤ素子２３にて効率的な光の拡散を行うことができる面光源を実現することができる。
【００４８】
そのため、図５の照明状態を示す図に示すように、本実施例の如く棚板３２の下面や天面４Ａの下面など、取付スペースが限られた場所であっても、陳列室１１内の陳列スペースに影響を与えることなく、ＬＥＤ照明２２を設けることが可能となり、十分な量の光量にて当該ＬＥＤ照明２２が取り付けられた棚上に陳列された商品を照明することが可能となる。これにより、陳列効果の著しい向上を図ることが可能となる。
【００４９】
また、ＬＥＤ照明２２は、棚板３２の下面に取り付けたことにより、上側の棚の下面に取り付けられたＬＥＤ照明２２によって棚上全体を効果的に照明でき、当該棚に陳列される商品の陳列効率の向上を図ることができる。
【００５０】
このように、本実施例では、各ＬＥＤ照明２２は、上述したように、ＬＥＤ素子２３の点灯によって基板２４から発生する熱は、効率的に陳列室１１外に排出することができるため、陳列室１１内であっても、ＬＥＤ照明２２を複数設けることができる。
【００５１】
ここで、図４を参照して、前上方から陳列室１１内を照明する照明装置２０による棚板３２上のある点Ｑへの照明の効率と、各棚板３２の下面に設けられるＬＥＤ照明２２による点Ｑへの照明効率について説明する。
【００５２】
照明装置２０からの点光源の光度Ｌ１が棚板３２の点Ｑへの法線方向（角度をα、照明装置２０から点Ｑまでの高さをｈ１とする）の直射照度Ｂ１は、
Ｂ１＝Ｌ１・ｃｏｓ2α／ｈ１2
である。
これに対し、ＬＥＤ照明２２を点光源の集まりとした場合、光度Ｌ２が棚板３２の点Ｑ（ＬＥＤ照明２２から点Ｑまでの高さをｈ２とする）への直射照度Ｂ２は、
Ｂ２＝Ｌ２／ｈ２2
である。
このとき、図５に示すように上から二段目の棚板３２を点Ｑとした場合に具体的に照度を比較する。照明装置２０とＬＥＤ照明２２の配置による照度を比較するために光度をＬ１とＬ２と同じＬ０とし、ｈ１＝２２０ｍｍ、ｈ２＝６００ｍｍ、α＝３０°とする。
Ｂ１／Ｂ２＝Ｌ０ｃｏｓ2α／ｈ１2÷Ｌ０／ｈ２2
＝ｃｏｓ2α・ｈ２2／ｈ１2
＝０．１００８
これにより、陳列室１１の前上方に設けられた照明装置２０による照度に対し、直ぐ上方の棚板３２の下面に設けられるＬＥＤ照明２２による照度は、約１０倍であることが分かる。
【００５３】
従って、棚下３２にＬＥＤ照明２２を設けることによって、不要な光の拡散をより抑制して、効率的に棚上の商品を照明することができることが分かる。特に、陳列室１１の外部から照射される光であれば、他の棚の影となり、照明する棚の奥まで十分に光を照射することができないが、本願発明の如く棚下３２に平面光源にて構成されるＬＥＤ照明２２を設けることにより、棚の奥までの均一な照度を確保でき、効果的な照明を実現することができる。
【００５４】
尚、本実施例では、ＬＥＤ照明２２においてＬＥＤ素子２３からの効果的な光の拡散を実現する手段として拡散レンズ２６を採用しているが、これ以外にも、ＬＥＤ照明を構成するＬＥＤ素子２３からの光を所定位置に導く導光材を設けてもよい。これにより、特定の商品を強調するような照明効果や棚自体の効果的な照明を実現することができる。従って、陳列室１１に陳列される特定の商品を鮮やかに照明でき、商品イメージの向上を図ることができ、顧客の購買意欲の増進を図ることが可能となる。
【符号の説明】
【００５５】
１    低温ショーケース
２    断熱壁
２Ａ  底壁
２Ｂ  天壁
２Ｃ  背面板
３    本体
４Ａ  天板
４Ｂ  背部仕切板
５    側板
９    底板
１１    陳列室
１２    前面開口
２２    ＬＥＤ照明
２３    ＬＥＤ素子
２４    基板
２５    伝熱部材
２６    拡散レンズ
３２    棚板（商品陳列用の棚）
３３    キャノピー
３９    冷却器
【図１】
2011072496.tif 000003
【図２】
2011072496.tif 000004
【図３】
2011072496.tif 000005
【図４】
2011072496.tif 000006
【図５】
2011072496.tif 000007